(57)【要約】【課題】二次電池の性能の低下を防止することを可能とする。【解決手段】第１電極、第２電極及び前記第１電極と第２電極との間に介在するセパレーターを含む電極組立体と、前記第１電極と電気的に連結される第１リードタップと、前記第２電極と電気的に連結される第２リードタップと、前記電極組立体、前記第１リードタップ及び前記第２リードタップを内部に収容し、上端に開口を持つケースと、前記ケースの前記開口を密封するキャッププレートと、前記ケースの上部と向き合う底面の内側に位置するボトムリーテナーと、を含み、前記ボトムリーテナーは、前記ケースの底面と接触しない非接触部を具備することを特徴とする二次電池が提供される。【選択図】図２
2015191888.tif 000002
【特許請求の範囲】
【請求項１】
第１電極、第２電極及び前記第１電極と第２電極との間に介在するセパレーターを含む電極組立体と、
前記第１電極と電気的に連結される第１リードタップと、
前記第２電極と電気的に連結される第２リードタップと、
前記電極組立体、前記第１リードタップ及び前記第２リードタップを内部に収容し、上端に開口を持つケースと、
前記ケースの前記開口を密封するキャッププレートと、
前記ケースの上部と向き合う底面の内側に位置するボトムリーテナーと、を含み、
前記ボトムリーテナーは、前記ケースの底面と接触しない非接触部を具備することを特徴とする二次電池。
【請求項２】
前記ボトムリーテナーは、胴体部及び前記胴体部の長側辺の一領域に形成された前記非接触部を含むことを特徴とする請求項１に記載の二次電池。
【請求項３】
前記ボトムリーテナーの前記非接触部は、前記胴体部の向い合う長側辺の中間領域が除去されることによって形成された溝部を含むことを特徴とする請求項２に記載の二次電池。
【請求項４】
前記ボトムリーテナーの前記非接触部は、前記胴体部の向い合う長側辺の中間領域に間隔を置いて具備された第１溝部及び第２溝部を含むことを特徴とする請求項２又は３に記載の二次電池。
【請求項５】
前記第１電極は、陰極を帯びて、前記第２電極は陽極を帯びることを特徴とする請求項１〜４のいずれか一項に記載の二次電池。
【請求項６】
前記第１リードタップまたは第２リードタップは、ヒューズ部を具備し、前記ヒューズ部と対応する前記ケースの底面には、前記ボトムリーテナーが形成されることを特徴とする請求項１〜５のいずれか一項に記載の二次電池。
【請求項７】
前記ヒューズ部は、陽極側に形成されることを特徴とする請求項６に記載の二次電池。
【請求項８】
前記ボトムリーテナーは、絶縁部材で形成されることを特徴とする請求項１〜７のいずれか一項に記載の二次電池。
【請求項９】
前記ボトムリーテナー及び前記ケースの底面の間には、電解液が位置することを特徴とする請求項１〜８のいずれか一項に記載の二次電池。
【請求項１０】
第１電極、第２電極及び前記第１電極と第２電極との間に介在されるセパレーターを含む電極組立体と、
前記第１電極と電気的に連結される第１リードタップと、
前記第２電極と電気的に連結される第２リードタップと、
前記電極組立体、前記第１リードタップ及び前記第２リードタップを内部に収容し、上端に開口を持つケースと、
前記ケースの前記開口を密封するキャッププレートと、
前記ケースの上部と向き合う底面の内側に位置し、前記底面の内側を完全に覆わないように形成されたボトムリーテナーと、
を含むことを特徴とする二次電池。
【発明の詳細な説明】
【技術分野】
【０００１】
本発明は、二次電池に関する。
【背景技術】
【０００２】
二次電池は、一次電池とは異なり、充電及び放電を反復的に遂行する電池である。小容量の二次電池は、携帯電話やノートブックコンピューター及びキャムコーダのように携帯が可能な小型電子機器に用いられ、大容量の二次電池は、ハイブリッド自動車などのようなモーター駆動用電源として用いることができる。
【発明の概要】
【発明が解決しようとする課題】
【０００３】
しかし、従来の二次電池において、二次電池の性能が低下するという問題があった。具体的には、従来の二次電池において、ケース底面のボトムリーテナーによって二次電池の組み立ての際に電解液の注入過程でケースの底面とボトムリーテナーとの間に溜まった電解液が電極組立体に吸収されないという問題があった。
【０００４】
そこで、本発明は、上記問題に鑑みてなされたものであり、本発明の目的とするところは、二次電池の性能の低下を防止することが可能な、新規かつ改良された二次電池を提供することにある。
【課題を解決するための手段】
【０００５】
上記課題を解決するために、本発明のある観点によれば、第１電極、第２電極及び前記第１電極と第２電極との間に介在するセパレーターを含む電極組立体と、前記第１電極と電気的に連結される第１リードタップと、前記第２電極と電気的に連結される第２リードタップと、前記電極組立体、前記第１リードタップ及び前記第２リードタップを内部に収容し、上端に開口を持つケースと、前記ケースの前記開口を密封するキャッププレートと、前記ケースの上部と向き合う底面の内側に位置するボトムリーテナーと、を含み、前記ボトムリーテナーは、前記ケースの底面と接触しない非接触部を具備することを特徴とする二次電池が提供される。
【０００６】
前記ボトムリーテナーは、胴体部及び前記胴体部の長側辺の一領域に形成された前記非接触部を含んでもよい。
【０００７】
前記ボトムリーテナーの前記非接触部は、前記胴体部の向い合う長側辺の中間領域が除去されることによって形成された溝部を含んでもよい。
【０００８】
前記ボトムリーテナーの前記非接触部は、前記胴体部の向い合う長側辺の中間領域に間隔を置いて具備された第１溝部及び第２溝部を含んでもよい。
【０００９】
前記第１電極は、陰極を帯びて、前記第２電極は陽極を帯びてもよい。
【００１０】
前記第１リードタップまたは第２リードタップは、ヒューズ部を具備し、前記ヒューズ部と対応する前記ケースの底面には、前記ボトムリーテナーが形成されてもよい。
【００１１】
前記ヒューズ部は、陽極側に形成されてもよい。
【００１２】
前記ボトムリーテナーは、絶縁部材で形成されてもよい。
【００１３】
前記ボトムリーテナー及び前記ケースの底面の間には、電解液が位置してもよい。
【００１４】
また、上記課題を解決するために、本発明の別の観点によれば、第１電極、第２電極及び前記第１電極と第２電極との間に介在されるセパレーターを含む電極組立体と、前記第１電極と電気的に連結される第１リードタップと、前記第２電極と電気的に連結される第２リードタップと、前記電極組立体、前記第１リードタップ及び前記第２リードタップを内部に収容し、上端に開口を持つケースと、前記ケースの前記開口を密封するキャッププレートと、前記ケースの上部と向き合う底面の内側に位置し、前記底面の内側を完全に覆わないように形成されたボトムリーテナーと、を含むことを特徴とする二次電池が提供される。
【発明の効果】
【００１５】
以上説明したように本発明によれば、二次電池の性能の低下を防止することができる。
【図面の簡単な説明】
【００１６】
【図１】本発明に係る二次電池を示す斜視図である。
【図２】図１のＡ-Ａ'線断面に沿った断面図である。
【図３】本発明の一実施例に係るボトムリーテナーを示す斜視図である。
【図４】図１におけるケースの内部に位置するボトムリーテナーを示す斜視図である。
【図５】外部短絡時におけるアークの残骸物発生位置及びボトムリーテナーの位置を示す斜視図である。
【図６】本発明の他の実施例に係るボトムリーテナーを示す斜視図である。
【発明を実施するための形態】
【００１７】
以下、添付した図面を参照して本発明の実施例及びその他当業者が本発明の内容を易しく理解するために必要な事項について詳しく記載する。ただし、本発明は、特許請求の範囲に記載した範囲内で様々な異なる形態に具現されることができるので、下記に説明する実施例は、表現にかかわらず、例示的なものに過ぎない。
【００１８】
本実施例を説明するにあたり、関連公知機能あるいは構成についての具体的な説明が本発明の要旨を不要に不鮮明なものにすることがあると判断される場合、その詳細な説明は略する。そして、図面で同一の構成要素等に対しては、たとえ他の図面上に表示されても可能な限り同一の参照番号及び符号で示している事に留意しなければならない。同時に、図面において各構成の厚さや大きさは、説明の便宜及び明確性のために誇張されることがあり、実際構成の厚さや大きさと異なる場合がある。
【００１９】
図１は、本発明に係る二次電池を示す斜視図、図２は、図１の第１電極端子及び第２電極端子を通りキャッププレート２０に垂直なＡ-Ａ'線断面に沿った断面図である。そして、図３は、本発明の一実施例に係るボトムリーテナーを示す斜視図である。
【００２０】
図１、図２及び図３を参照すれば、本発明に係る二次電池は、電極組立体１０、陰極リードタップ３１、陽極リードタップ３２、またこれらを内部に収容して上端に開口を持つケース１５及びケース１５の開口を密封するキャッププレート２０を含む。そして、本発明に係る二次電池は、キャッププレート２０に設けられる第１電極端子（２１；以下「陰極端子」という。）と第２電極端子（２２；以下「陽極端子」という。）、陰極端子２１側に具備される外部短絡部５０、及び陽極端子２２側に具備されるヒューズ部６０を含む。
【００２１】
また、本発明に係る二次電池は、ケース１５の底面内側に板状のボトムリーテナー７０を含み、底面の内側は、ケース１５の上部と向き合うことができる。この時、ボトムリーテナー７０は、ケース１５の底面と接触しない非接触部７２を具備する。
【００２２】
さらに、ボトムリーテナー７０は、板状の胴体部７１を含み、非接触部７２は、胴体部７１の長側辺の一領域に形成されてもよい。すなわち、ボトムリーテナー７０の非接触部７２は、胴体部７１の向い合う長側辺の中間領域が除去されることによって形成された溝形状でありえる。ボトムリーテナー７０は、ケース１５の底面の内側を完全に覆わないように形成されてもよい。
【００２３】
本発明に係る充電及び放電をする電極組立体１０は、絶縁体であるセパレーター１３の両面に第１電極（１１；以下、「陰極」という）と第２電極（１２；以下、「陽極」という。）が配置され、陰極１１、セパレーター１３及び陽極１２をゼリーロール状態で巻き取ることによって形成される。陰極１１及び陽極１２は、それぞれ金属板の集電体に活物質が塗布されたコーティング部１１ａ、１２ａ、及び活物質が塗布されずに露出した集電体で形成される無地部１１ｂ、１２ｂを含む。
【００２４】
陰極１１の無地部１１ｂは、巻き取られる陰極１１に沿って陰極１１の一方端部に形成される。陽極１２の無地部１２ｂは、巻き取られる陽極１２に沿って陽極１２の一方端部に形成される。無地部１１ｂ、１２ｂは、電極組立体１０の両端にそれぞれ配置される。例えば、ケース１５は、内部に電極組立体１０と電解液を収容する空間を設定するように略直方体でなり、外部と内部空間とを連結する開口が直方体の一面に形成される。開口は、電極組立体１０をケース１５の内部に挿入できるようにする。
【００２５】
キャッププレート２０は、薄い鋼板でなり、ケース１５の開口に設けられることによりケース１５を密閉する。キャッププレート２０は、電解液注入口２９とベントホール２４をさらに具備する。電解液注入口２９は、ケース１５にキャッププレート２０を結合した後、ケース１５内部への電解液の注入ができるようにする。電解液注入後、電解液注入口２９は、密封蓋２７により密封される。
【００２６】
ベントホール２４は、二次電池の内部圧力を排出できるようにベントプレート２５により密閉される。二次電池の内部圧力が設定圧力に至れば、ベントプレート２５が切開されてベントホール２４を開放する。さらに、ベントプレート２５は、切開を誘導するノッチ２５ａを持つ。
【００２７】
陰極端子２１及び陽極端子２２は、キャッププレート２０に貫通して設けられ、電極組立体１０に電気的に連結される。すなわち、陰極端子２１は、電極組立体１０の陰極１１に電気的に連結され、陽極端子２２は、電極組立体１０の陽極１２に電気的に連結される。したがって、電極組立体１０内の電気は、陰極端子２１及び陽極端子２２を介してケース１５の外部に引き出される。
【００２８】
陰極端子２１及び陽極端子２２は、キャッププレート２０の内側で互いに同一の構造を形成するので、同一の構造について一緒に説明して、キャッププレート２０の外側で互いに異なる構造を形成するので、互いに異なる構造についてそれぞれ別途説明する。
【００２９】
陰極端子２１及び陽極端子２２は、キャッププレート２０の端子ホール３１１、３１２にそれぞれ設けられるターミナルリベット２１ａ、２２ａ、キャッププレート２０の内側でターミナルリベット２１ａ、２２ａに一体として幅方向に広く形成されるフランジ２１ｂ、２２ｂ、及びキャッププレート２０の外側に設けられてターミナルリベット２１ａ、２２ａにリベッティングまたは溶接によって連結されるターミナルプレート２１ｃ、２２ｃを含む。
【００３０】
陰極ガスケット３６及び陽極ガスケット３７は、陰極端子２１及び陽極端子２２のターミナルリベット２１ａ、２２ａと、キャッププレート２０の端子ホール３１１、３１２内面との間にそれぞれ設けられ、陰極端子２１及び陽極端子２２のターミナルリベット２１ａ、２２ａとキャッププレート２０との間をシーリングする。陰極ガスケット３６及び陽極ガスケット３７は、フランジ２１ｂ、２２ｂとキャッププレート２０との内面の間にさらに延びて設けられ、フランジ２１ｂ、２２ｂとキャッププレート２０との間をさらにシーリングする。すなわち、陰極ガスケット３６及び陽極ガスケット３７は、キャッププレート２０に陰極端子２１及び陽極端子２２を設けることで、端子ホール３１１、３１２を介して電解液が漏れること（ｌｅａｋ）を防止する。
【００３１】
一方、電極組立体１０は、複数個に形成される（図３参照）。したがって、電極組立体１０でそれぞれの陰極１１は陰極リードタップ３１によって電気的に連結されて、陽極１２は陽極リードタップ３２によって電気的に連結される。図示しなかったが、本発明は、電極組立体を１個に形成する二次電池にも適用することができる。
【００３２】
陰極リードタップ３１及び陽極リードタップ３２は、陰極端子２１及び陽極端子２２を電極組立体１０の陰極１１及び陽極１２にそれぞれ電気的に連結する。すなわち、陰極リードタップ３１及び陽極リードタップ３２をそれぞれターミナルリベット２１ａ、２２ａの下端に結合し、下端をコーキングすることで、陰極リードタップ３１及び陽極リードタップ３２はそれぞれフランジ２１ｂ、２２ｂに支持されつつターミナルリベット２１ａ、２２ａの下端に連結される。
【００３３】
陰極絶縁部材４１及び陽極絶縁部材４２は、陰極リードタップ３１及び陽極リードタップ３２とキャッププレート２０との間にそれぞれ設けられ、陰極リードタップ３１及び陽極リードタップ３２とキャッププレート２０と、を電気的に絶縁させる。また、陰極絶縁部材４１及び陽極絶縁部材４２は、一側においてキャッププレート２０に結合され、他の一側において陰極リードタップ３１及び陽極リードタップ３２とターミナルリベット２１ａ、２２ａ及びフランジ２１ｂ、２２ｂを取り囲むので、これらの連結構造を安定させる。
【００３４】
一方、ターミナルプレート２１ｃに係る外部短絡部５０について説明する。図２を参照すれば、外部短絡部５０は、内部圧力によって離隔または短絡される短絡タップ５１と短絡部材５３とを含む。
【００３５】
短絡タップ５１は、陰極端子２１のターミナルリベット２１ａに電気的に連結されて絶縁部材３８を介在し、キャッププレート２０の外側に配置される。絶縁部材３８は、短絡タップ５１とキャッププレート２０との間に設けられ、短絡タップ５１とキャッププレート２０とを電気的に絶縁させる。すなわち、キャッププレート２０は、陰極端子２１に電気的に絶縁されている。
【００３６】
短絡タップ５１とターミナルプレート２１ｃとをターミナルリベット２１ａの上端に結合して上端をコーキングすることで、短絡タップ５１とターミナルプレート２１ｃとは、ターミナルリベット２１ａの上端に結合される。したがって、短絡タップ５１とターミナルプレート２１ｃとは、絶縁部材３８を介してキャッププレート２０に固定・支持される。
【００３７】
短絡部材５３は、キャッププレート２０の短絡ホール２３に設けられる。短絡タップ５１は、陰極端子２１に連結されて陰極端子２１側から短絡部材５３に向けて延びる。したがって、短絡ホール２３で短絡タップ５１と短絡部材５３とは互いに向い合って離隔状態（図２における実線が示す状態）または短絡状態（図２における仮想線が示す状態）を形成するようになる。
【００３８】
二次電池の内部圧力が上昇する時、短絡部材５３は、図２における実線が示す状態から仮想線が示す状態に変形して、短絡タップ５１に接触する。したがって、短絡タップ５１とキャッププレート２０とは、電気的に連結されて電極組立体１０の短絡状態を維持する。短絡の際、短絡タップ５１と短絡部材５３とを介して陰極端子２１及び陽極端子２２の間で瞬間的に高電圧電流が放電される。この時、電極組立体１０と陰極端子２１及び陽極端子２２を連結する放電ラインでヒューズ部６０がとけて切れることがあり得る。
【００３９】
このように、ヒューズ部６０がとけて切れる場合、切れ目でアーク（Ａｒｃ）が発生しえる。この時、アークの残骸物がケース１５内側の底面に落下し、ケース１５の底面が溶融されて破損する。これを防止するために、通常、ケース１５内側の底面にはボトムリーテナー７０が含まれる。この時、ボトムリーテナー７０は、ケース１５の底面と同一の形状で形成されてもよい。しかし、ケース１５底面のボトムリーテナー７０によって二次電池の組み立ての際に電解液の注入過程でケース１５の底面とボトムリーテナー７０との間に溜まった電解液が電極組立体１０に吸収されないという問題がある。
【００４０】
一方、本発明に係る二次電池は、ボトムリーテナー７０の向い合う長側辺の中間領域を除去して、ケース１５の底面に溜まっている電解液が円滑に移動できるようにすることができる。すなわち、電極組立体に電解液を円滑に吸収させられる。ボトムリーテナー７０は、板状の胴体部７１及び胴体部７１の向い合う長側辺の中間領域が除去されることによって形成された溝形状の非接触部７２を含む。ここで、非接触部７２は、ヒューズ部６０で発生したアークによるアークの残骸物が落下してケース１５が溶融される部位を除いた残りの領域のボトムリーテナー７０に形成されてもよい。これについては図４及び図５を参照してより詳細に説明する。
【００４１】
このように、ボトムリーテナー７０の非接触部７２は、ケース１５の底面に溜まっている電解液が移動することができる通路になる。これによって、電極組立体１０に電解液を円滑に吸収させることができるため、二次電池の性能低下を防止することができる。
【００４２】
図４は、図１にてケース内部に位置するボトムリーテナー７０を示す斜視図、図５は外部短絡時におけるアークの残骸物の発生位置及びボトムリーテナー７０の位置を示す斜視図である。
【００４３】
図４及び図５を参照すれば、二次電池は、充電及び放電を繰り返すので、ケース１５内部で過度な熱が発生したり、又は電解液が分解されうる。このような熱の発生または電解液の分解は、二次電池の内部圧力を上昇させる。そして、内部圧力の上昇は、二次電池の発火または爆発を発生させることがありえる。
【００４４】
これによって、二次電池の内部圧力の上昇による発火及び爆発を防止するために、ケース１５には外部短絡部５０（図２参照）が具備されてもよい。外部短絡部５０は、二次電池の内部圧力上昇の際、電極組立体１０（図２参照）の陰極１１と陽極１２とを二次電池の外部で短絡させる。外部短絡部５０が動作すると、大電流の放電により電極組立体１０の充電状態が低くなる。大電流の放電によって、電極組立体１０と電極端子２１、２２を連結する放電ラインで弱い部分がとけて切れることがありえる。
【００４５】
このような外部短絡や過充電の際、放電ラインを效果的に切るために、二次電池は電極端子２１、２２と電極組立体１０とを連結するリードタップ３１、３２にヒューズ部６０を具備する。しかし、ヒューズ部６０は、とけて切れた後、切れた間隔が狭い場合、切れ目でアークＢを発生しえる。このように、二次電池の内部から発生するアークＢは、電解液に作用して発火または爆発を引き起こすことがあるので、二次電池の安全性を低下させる恐れがある。
【００４６】
ヒューズ部６０は、陰極端子２１または陽極端子２２側に具備されうるが、本発明の実施例では、陽極端子２２側に具備される（図２参照）。すなわち、外部短絡部５０の動作により高電圧の電流を放電することによってヒューズ部６０がとけて切れるようにヒューズ部６０は、陽極リードタップ３２に具備される。
【００４７】
このようなヒューズ部６０は、陽極リードタップ３２の一領域にホール（図示せず）が形成された領域であり、ホールが形成された領域を除いた他の陽極リードタップ３２より狭い断面積を持つように形成された領域である。このようなヒューズ部６０は、電極組立体１０の短絡が発生して大電流が陽極リードタップ３２へと流れる場合、発生した熱によって溶融されて、ケース１５及びキャッププレート２０それぞれと電極組立体１０との間の電流の流れを遮断する。
【００４８】
本発明のケース１５の底面内側に位置するボトムリーテナー７０は、前記のようなアークＢ発生の際にアークの残骸物８０によってケース１５が溶融される位置を除いた残りの領域に形成される。これによって、外部短絡の際にアークの残骸物８０によるケース１５底の損傷を防止することができる。すなわち、ボトムリーテナー７０は、ケース１５内側の底面と接触される板状の胴体部７１及び胴体部７１の長側辺の一領域にケース１５の底面と接触しない非接触部７２を具備する。このようなボトムリーテナー７０の非接触部７２は、胴体部７１の向い合う長側辺の中間領域が除去されることによって形成された溝部でありえる。例えば、ケース１５の底面内側に具備されたボトムリーテナー７０の位置は、ヒューズ部６０に対応する、たとえば、ヒューズ部６０下でありえる。
【００４９】
これによって、ボトムリーテナー７０の胴体部７１の両端部は、ケース１５底面と接触し、ケース１５内部に位置する電極組立体１０を支持する。そして、胴体部７１の向い合う長側辺の中間領域が除去されることによって形成された非接触部７２は、電解液が移動することができる通路として作用する。すなわち、ボトムリーテナー７０とケース１５の底面との間は、完全に密着された状態ではないので、電解液がたまることがありえるが、ボトムリーテナー７０に非接触部７２が形成されることで、ケース１５の底に電解液がたまるような現象を防止することができる。そして、ボトムリーテナー７０は、絶縁部材で形成されて電極組立体との絶縁を維持することができる。
【００５０】
図６は、本発明の他の実施例に係るボトムリーテナーを示す斜視図である。図６を参照すれば、本発明の他の実施例に係るボトムリーテナー９０は、一実施例と同様に、ケース１５の底面と接触しない非接触部９２、９３を具備する。すなわち、ボトムリーテナー９０は、板状の胴体部９１及び胴体部９１の長側辺の一領域に形成された非接触部９２、９３を含む。より詳細には、ボトムリーテナー９０の非接触部９２、９３は、胴体部９１の向い合う長側辺の中間領域が間隔を置いて除去されることによって形成された第１溝部及び第２溝部でありえる。
【００５１】
この場合、ボトムリーテナー９０の胴体部９１の向い合う長側辺の中間領域が除去されることによって形成された領域である４箇所の非接触部９２、９３を介して電解液が円滑に移動することができ、非接触部９２、９３の間に位置する支持部９４によってボトムリーテナー９０の剛性を補強することができ、かつ電極組立体１０を支持するのにより有利な構造である。
【００５２】
このような本発明のボトムリーテナー９０の非接触部９２、９３によって電解液がケース１５の底にたまるような現象を防止することで、電極組立体１０に電解液をより容易に吸収させて二次電池の性能低下を防止することができる。
【００５３】
高出力二次電池は、複数の二次電池を直列に連結して構成され、大電力を必要とする機器、例えば、電気自動車などのモーター駆動に使用することができる。
【００５４】
二次電池は、セパレーターの両面に陽極と陰極を具備して形成される電極組立体、電極組立体を内蔵するケース、ケースの開口を密閉するキャッププレート、及びキャッププレートに貫通設置されて電極組立体に電気的に連結される電極端子を含む。
【００５５】
二次電池において大電流の放電または過充電が生じた時、電極組立体と電極端子とを連結するライン上で電気的に弱い部分がとけて切れることがありえる。このようなラインを效果的に切るために、二次電池は内部にヒューズ部を具備する。
【００５６】
本発明は、ケースの底面に位置するボトムリーテナーの一部分を除去することによってケースの底面とボトムリーテナーとの間に電解液がたまることを防止することができる。
【００５７】
また、本発明によれば、外部短絡の際にヒューズ部から発生したアークの残骸物が落下するケースの底面には、ボトムリーテナーが形成されることによってケースのメルティングを防止することができる。
【００５８】
また、本発明によれば、ケースの底面とボトムリーテナーとの間に電解液がたまることを防止することで、電極組立体に電解液を円滑に吸収させて二次電池の性能低下を防止することができる。
【００５９】
また、本発明によれば、アークの残骸物が落下する位置に対応するケースの底面には、ボトムリーテナーが形成されてケースがメルティングされないことで、ケースの底面の損傷を防止することができる。
【００６０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６１】
１０  電極組立体、
１１  陰極、
１２  陽極、
１３  セパレーター、
２０  キャッププレート、
２１  陰極端子、
２２  陽極端子、
２３  短絡ホール、
２４  ベントホール
２５  ベントプレート
２７  密封蓋
２９  電解液注入口
３１  陰極リードタップ、
３２  陽極リードタップ、
３６  陰極ガスケット
３７  陽極ガスケット
３８  絶縁部材
４１  陰極絶縁部材
４２  陽極絶縁部材
５０  外部短絡部、
５１  短絡タップ
５３  短絡部材
６０  ヒューズ部、
７０、９０  ボトムリーテナー、
７１、９１  胴体部、
７２、９２、９３  非接触部、
９４  支持部
【図１】
2015191888.tif 000003
【図２】
2015191888.tif 000004
【図３】
2015191888.tif 000005
【図４】
2015191888.tif 000006
【図５】
2015191888.tif 000007
【図６】
2015191888.tif 000008